【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
ハンドヘルド電気化学的金属および／または合金テストシステムであって、
クリーニングされるべき前記金属および／または合金の表面と相互作用するように構成されたクリーニング装置と、
システム電極とテストされるべき前記金属および／または合金の前記表面の部分との間の操作可能な接続を形成するように配置され、構成された電気伝導性のシステム電極と、少なくとも１つのテストプローブ電極と前記金属および／または合金の前記表面の一部との間に操作可能な接続を形成するために構成され、配置された少なくとも１つの電気伝導性テストプローブ電極と、電気非伝導性膜と、電解質と、前記システム電極および前記少なくとも１つのテストプローブ電極と電気的に接続した状態のシグナル発生コンポーネントとを含む電気化学的テストシステムであって、
前記少なくとも１つの電気伝導性テストプローブ電極が、複数の電気伝導性テストプローブであり、前記複数の電気伝導性テストプローブおよび前記電気伝導性のシステム電極が、単一本体構造に組み込まれる、電気化学的テストシステムと、
前記電気化学的テストシステムにデータをインプットし、前記電気化学的テストシステムからデータを受信するように構成されたユーザーインターフェイスと、
前記クリーニングコンポーネント、前記電気化学的テストシステムおよび前記ユーザーインターフェイスの少なくとも１つと相互作用するためのオンボードコンピュータシステムと、
前記クリーニング装置、前記電気化学的テストシステム、前記ユーザーインターフェイス、および前記オンボードコンピュータシステムに動力を与える動力源と、ならびに
前記ハンドヘルド電気化学的金属および／または合金テストシステムを保持するためのハンドル領域とを含む、ハンドヘルドテストシステム。
【請求項２】
前記動力源が前記ハンドヘルドシステムに一体化された二次電池である、請求項１に記載のハンドヘルドテストシステム。
【請求項３】
前記ユーザーインターフェイスが電子ディスプレイスクリーンを含む、請求項１に記載のハンドヘルドテストシステム。
【請求項４】
前記電解質、前記電気伝導性テストプローブ電極および前記膜が、前記電解質を保持する内部を有する管、前記テストプローブ電極の部分および前記膜の部分を含むテストプローブカートリッジとして形成され、前記管が第１および第２の開口部を有し、前記第１の開口部が前記テストプローブ電極の前記管の前記内部への通過を可能にし、結果として前記第１の開口部の流体シーリングをもたらすようなサイズを有し、前記管の前記第２の開口部が、前記膜の少なくとも一部の挿入を可能にして、前記膜を通して前記電解質のための選択的流体経路を提供するようなサイズを有する、請求項１に記載のハンドヘルドテストシステム。
【請求項５】
前記テストプローブカートリッジがさらに、測定された量の電解質の前記管内部から前記膜に至る移動を可能にするようなバルブ装置を含む、請求項４に記載のハンドヘルドテストシステム。
【請求項６】
前記テストプローブカートリッジが、前記テストプローブカートリッジに関連する情報データを通信するためのオンボード通信コンポーネントを含む、請求項４に記載のハンドヘルドテストシステム。
【請求項７】
前記テストプローブカートリッジから前記情報データを受信し、ユーザーに前記情報データを提供するためのコンピュータおよび通信コンポーネントをさらに含む、請求項６に記載のハンドヘルドテストシステム。
【請求項８】
前記テストプローブカートリッジに前記情報データをインプットし、前記テストプローブカートリッジから前記情報データを受信するためのコンピュータおよび通信コンポーネントをさらに含む、請求項６に記載のハンドヘルドテストシステム。
【請求項９】
前記シグナル発生コンポーネントが非対称励起を発生させるように構成される、請求項１に記載のハンドヘルドテストシステム。
【請求項１０】
ハンドヘルド電気化学的金属および／または合金テストシステムであって、
クリーニングされるべき前記金属および／または合金の表面と相互作用するように構成されたクリーニング装置と、
システム電極とテストされるべき前記金属および／または合金の前記表面の部分との間の操作可能な接続を形成するように配置され、構成された電気伝導性のシステム電極と、少なくとも１つのテストプローブ電極と前記金属および／または合金の前記表面の一部との間に操作可能な接続を形成するために構成され、配置された少なくとも１つの電気伝導性テストプローブ電極と、電気非伝導性膜と、電解質と、前記システム電極および前記少なくとも１つのテストプローブ電極と電気的に接続した状態のシグナル発生コンポーネントとを含む電気化学的テストシステムと、
前記電気化学的テストシステムにデータをインプットし、前記電気化学的テストシステムからデータを受信するように構成されたユーザーインターフェイスと、
前記クリーニングコンポーネント、前記電気化学的テストシステムおよび前記ユーザーインターフェイスの少なくとも１つと相互作用するためのオンボードコンピュータシステムと、
前記クリーニング装置、前記電気化学的テストシステム、前記ユーザーインターフェイス、および前記オンボードコンピュータシステムに動力を与える動力源と、ならびに
前記ハンドヘルド電気化学的金属および／または合金テストシステムを保持するためのハンドル領域とを含み、
前記クリーニング装置が、単一本体構造に組み込まれる研磨ディスクを保持および回転させるための回転チャンクを含み、前記電気化学的テストシステム、前記ユーザーインターフェイス、前記オンボードコンピュータシステム、前記動力源、および前記ハンドル領域をさらに含む、ハンドヘルドテストシステム。
【請求項１１】
ＣＯ2およびＮ2の少なくとも１つである圧縮流体のホルダーおよび前記圧縮流体を前記金属および／または合金の前記表面に通過させるノズルをさらに含む、請求項１０に記載のハンドヘルドテストシステム。
【請求項１２】
ハンドヘルド電気化学的金属および／または合金テストシステムであって、
クリーニングされるべき前記金属および／または合金の表面と相互作用するように構成されたクリーニング装置と、
システム電極とテストされるべき前記金属および／または合金の前記表面の部分との間の操作可能な接続を形成するように配置され、構成された電気伝導性のシステム電極と、少なくとも１つのテストプローブ電極と前記金属および／または合金の前記表面の一部との間に操作可能な接続を形成するために構成され、配置された少なくとも１つの電気伝導性テストプローブ電極と、電気非伝導性膜と、電解質と、前記システム電極および前記少なくとも１つのテストプローブ電極と電気的に接続した状態のシグナル発生コンポーネントとを含む電気化学的テストシステムであって、
前記電解質、前記少なくとも１つの電気伝導性テストプローブ電極の１つおよび前記膜が、前記電解質を保持する内部を有する管、前記テストプローブ電極の部分および前記膜の部分を含むテストプローブカートリッジとして形成され、前記管が第１および第２の開口部を有し、前記第１の開口部が前記テストプローブ電極の前記管の前記内部への通過を可能にし、結果として前記第１の開口部の流体シーリングをもたらすようなサイズを有し、前記管の前記第２の開口部が、前記膜の少なくとも一部の挿入を可能にして、前記膜を通して前記電解質のための選択的流体経路を提供するようなサイズを有する、電気化学的テストシステムと、
前記電気化学的テストシステムにデータをインプットし、前記電気化学的テストシステムからデータを受信するように構成されたユーザーインターフェイスと、
前記クリーニングコンポーネント、前記電気化学的テストシステムおよび前記ユーザーインターフェイスの少なくとも１つと相互作用するためのオンボードコンピュータシステムと、
前記クリーニング装置、前記電気化学的テストシステム、前記ユーザーインターフェイス、および前記オンボードコンピュータシステムに動力を与える動力源と、ならびに
前記ハンドヘルド電気化学的金属および／または合金テストシステムを保持するためのハンドル領域とを含み、
単一本体構造に組み込まれる複数のテストプローブカートリッジおよび前記システム電極をさらに含む、ハンドヘルドテストシステム。
【請求項１３】
前記単一本体構造に組み込まれる前記複数のテストプローブカートリッジおよび前記システム電極がバネ荷重されて、テストされている前記金属および／または合金と操作可能に係合するように移動するようになっている、請求項１２に記載のハンドヘルドテストシステム。
【請求項１４】
前記単一本体構造が、前記テストプローブカートリッジおよび前記システム電極の通過を可能にする開口部と、前記金属および／または合金の表面へのシーリング接触を可能にするシーリングガスケットとを有する平坦な底面を含む、請求項１２に記載のハンドヘルドテストシステム。
【請求項１５】
金属および／または合金の電気化学的テストを行うハンドヘルド方法であって、
クリーニングされるべき前記金属および／または合金の表面と相互作用するように構成されたクリーニング装置によってクリーニングを行う工程と、
システム電極とテストされるべき前記金属および／または合金の前記表面の部分との間の操作可能な接続を形成するように配置され、構成された電気伝導性のシステム電極と、少なくとも１つのテストプローブ電極と前記金属および／または合金の前記表面の一部との間に操作可能な接続を形成するために構成され、配置された少なくとも１つの電気伝導性テストプローブ電極と、電気非伝導性膜と、電解質と、前記システム電極および前記少なくとも１つのテストプローブ電極と電気的に接続した状態のシグナル発生コンポーネントとを含む電気化学的テストシステムによって電気化学的テストを行う工程であって、
前記電解質、前記少なくとも１つの電気伝導性テストプローブ電極の１つおよび前記膜が、前記電解質を保持する内部を有する管、前記テストプローブ電極の部分および前記膜の部分を含むテストプローブカートリッジとして形成され、前記管が第１および第２の開口部を有し、前記第１の開口部が前記テストプローブ電極の前記管の前記内部への通過を可能にし、結果として前記第１の開口部の流体シーリングをもたらすようなサイズを有し、前記管の前記第２の開口部が、前記膜の少なくとも一部の挿入を可能にして、前記膜を通して前記電解質のための選択的流体経路を提供するようなサイズを有する、電気化学的テストを行う工程と、
前記電気化学的テストシステムへのユーザーインターフェイスによってデータをインプットする工程と、
データを前記電気化学的テストシステムから前記ユーザーインターフェイスに受信する工程と、
前記クリーニングコンポーネント、前記電気化学的テストシステムおよび前記ユーザーインターフェイスの少なくとも１つとオンボードコンピュータシステムによって相互作用する工程と、
動力源によって、前記クリーニング装置、前記電気化学的テストシステム、前記ユーザーインターフェイス、および前記オンボードコンピュータシステムに動力供給する工程と、ならびに
ハンドル領域によって、前記ハンドヘルド電気化学的金属および／または合金テストシステムを保持する工程とを含み、
複数のテストプローブカートリッジおよび前記システム電極を単一本体構造に組み込む工程をさらに含む、方法。
【請求項１６】
前記テストプローブカートリッジがさらに、測定された量の電解質の前記管内部から前記膜に至る移動を可能にするようなバルブ装置を含む、請求項１５に記載のハンドヘルドテスト方法。
【請求項１７】
前記テストプローブカートリッジが、前記テストプローブカートリッジに関連する情報データを通信するためのオンボード通信コンポーネントを含む、請求項１５に記載のハンドヘルドテスト方法。
【請求項１８】
前記シグナル発生コンポーネントが非対称励起を発生させる、請求項１５に記載のハンドヘルドテスト方法。
【手続補正２】
【補正対象書類名】明細書
【補正対象項目名】０００８
【補正方法】変更
【補正の内容】
【０００８】
本願の教示に従う異なる金属および金属合金からなるサンプルをテストするための配置（装置）１００を図１に示す。
【手続補正３】
【補正対象書類名】明細書
【補正対象項目名】０１１０
【補正方法】変更
【補正の内容】
【０１１０】
ハンドヘルドソーター３１００は、一次または二次電池３１１４または場合により外部電源（例えばＡＣ電源、図示せず）から動力（電力）供給できる。バッテリは、標準サイズ（例えばＡＡ）であることができ、固定一体化され、またはパワードリルの場合と同様にモジュールユニットであることができる。